(57)【要約】【課題】  製造コストの低減が可能な表示灯を提供する。【解決手段】  下方からの押力によって押操作される押釦スイッチ１５１，１５２と光を下方に出射させる報知灯１６１，１６２とを有するメインブロック１と、メインブロック１の下側に結合する外付けブロック２とを備える。外付けブロック２は、前方からの押力を押釦スイッチ１５１，１５２を押操作する上向きの押力に変換する変換装置２１と、報知灯１６１，１６２の光を前方に配光する導光装置２２と、変換装置２１と導光装置２２とを収納及び保持するハウジング４とを有する。外付けブロック２が取り外されて直付け固定される表示灯と、外付けブロック２が取り付けられて壁面に埋込固定される表示灯とで、メインブロック１を共用とすることができるから、上記２種類の表示灯の全体としての製造コストを低減することができる。【選択図】図１
2014182959.tif 000002
【特許請求の範囲】
【請求項１】
メインブロックと、
前記メインブロックの下側に結合する外付けブロックを備え、
前記メインブロックは、電気的な光源からなる主光源と、二次電池と、非停電状態で前記二次電池を充電する充電回路と、停電状態で前記二次電池を電源として前記主光源を点灯させる点灯回路と、下方からの押力によって押操作される押釦スイッチと、光を下方に出射させる報知灯と、前記押釦スイッチが押操作されたときに前記二次電池の状態を検出するとともに検出された状態に応じて前記報知灯を制御する状態検出動作を行う制御回路と、前記主光源と前記二次電池と前記充電回路と前記点灯回路と前記押釦スイッチと前記報知灯と前記制御回路とをそれぞれ収納するケースとを有し、
前記ケースの前面には、前記主光源の光を透過させるように透光性を有する材料で構成されるとともに表示を付された表示部が設けられ、
前記ケースの下面には、前記押釦スイッチを露出させる操作穴と、前記報知灯を露出させる報知穴とが設けられ、
前記外付けブロックは、前方からの押力を前記押釦スイッチを押操作する上向きの押力に変換する変換装置と、前記報知灯の光を前方に配光する導光装置と、前記変換装置と前記導光装置とを収納及び保持するハウジングとを有することを特徴とする表示灯。
【請求項２】
前記変換装置は、前方からの押力を受けたときに前記ハウジングに対して回転して前記押釦スイッチを押操作するように前記ハウジングに対して軸支されていることを特徴とする請求項１記載の表示灯。
【請求項３】
前記ケースと前記ハウジングとには互いに嵌合する凹凸が設けられていることを特徴とする請求項１又は請求項２記載の表示灯。
【請求項４】
前記導光装置として透光性を有する材料からなるライトガイドを備えることを特徴とする請求項１〜３のいずれか１項に記載の表示灯。
【請求項５】
前記メインブロックは、下方からの光信号を受信する受光素子を有し、
前記ケースの下面には、前記受光素子を露出させる受光穴が設けられ、
前記制御回路は、所定の光信号が前記受光素子に受信されたときにも前記状態検出動作を行うものであって、
前記外付けブロックは、内面において前方からの光信号を反射して前記受光穴を通じて前記受光素子に入射させる導光室を有することを特徴とする請求項１〜４のいずれか１項に記載の表示灯。
【発明の詳細な説明】
【技術分野】
【０００１】
本発明は、表示灯に関するものである。
【背景技術】
【０００２】
従来から、全体として扁平な直方体形状であって厚さ方向の一面（前面）を発光させて避難経路などの表示を行う誘導灯などの表示灯が提供されている（例えば、特許文献１参照）。
【０００３】
この種の表示灯は、二次電池と、非停電状態で二次電池を充電する充電回路と、停電状態で二次電池を電源として光源を点灯させる点灯回路とを備える。
【０００４】
また、上記の表示灯として、上記の光源（以下、「主光源」と呼ぶ。）とは別途の光源（例えば発光ダイオード）からなり点灯状態により情報を報知する報知灯を備えるものがある。報知灯が報知する情報は、例えば、二次電池が充電中か放電中か（つまり、非停電状態か停電状態か）という情報や、二次電池の劣化の有無の情報などである。
【０００５】
さらに、上記の表示灯として、押釦スイッチを備えるものがある。押釦スイッチは、例えば、二次電池の充電量や二次電池の劣化の有無などを上記の報知灯の点灯状態によって報知させるために押操作されるものである。
【０００６】
上記の表示灯のうち、厚さ方向（つまり主光源の光の出射方向）を水平方向に向けて天井面上や壁面上に露出した状態で固定（いわゆる直付け固定）されるものにおいては、上記のような報知灯や押釦スイッチは下側に設けられる。つまり、報知灯は光を下方に出射させ、押釦スイッチは下方からの押力によって押操作される。
【０００７】
また、上記の表示灯のうち、主光源の光の出射方向（前方向）を壁面に垂直な方向として壁面に埋込固定されるものにおいては、上記のような報知灯や押釦スイッチは前側に設けられる。つまり、報知灯は光を前方に出射させ、押釦スイッチは前方からの押力によって押操作される。
【先行技術文献】
【特許文献】
【０００８】
【特許文献１】特開２００９−９９３７６号公報
【発明の概要】
【発明が解決しようとする課題】
【０００９】
上記の報知灯や押釦スイッチはプリント配線板に実装され、プリント配線板は厚さ方向を表示灯の厚さ方向に一致させる向きで保持される。直付け固定される表示灯においては報知灯や押釦スイッチは下方（プリント配線板の厚さ方向に直交する方向）に向けて実装され、埋込固定される表示灯においては報知灯や押釦スイッチは前方（プリント配線板の厚さ方向）に向けて実装される。
【００１０】
従って、直付け固定される表示灯と、埋込固定される表示灯とでは、プリント配線板における報知灯や押釦スイッチの実装の向きが互いに異なるから、上記プリント配線板を共用とすることができなかった。このため、上記２種の表示灯の全体としての製造コストが高くなっていた。
【００１１】
本発明は、上記事由に鑑みて為されたものであり、その目的は、製造コストの低減が可能な表示灯を提供することにある。
【課題を解決するための手段】
【００１２】
本発明の表示灯は、メインブロックと、前記メインブロックの下側に結合する外付けブロックを備え、前記メインブロックは、電気的な光源からなる主光源と、二次電池と、非停電状態で前記二次電池を充電する充電回路と、停電状態で前記二次電池を電源として前記主光源を点灯させる点灯回路と、下方からの押力によって押操作される押釦スイッチと、光を下方に出射させる報知灯と、前記押釦スイッチが押操作されたときに前記二次電池の状態を検出するとともに検出された状態に応じて前記報知灯を制御する状態検出動作を行う制御回路と、前記主光源と前記二次電池と前記充電回路と前記点灯回路と前記押釦スイッチと前記報知灯と前記制御回路とをそれぞれ収納するケースとを有し、前記ケースの前面には、前記主光源の光を透過させるように透光性を有する材料で構成されるとともに表示を付された表示部が設けられ、前記ケースの下面には、前記押釦スイッチを露出させる操作穴と、前記報知灯を露出させる報知穴とが設けられ、前記外付けブロックは、前方からの押力を前記押釦スイッチを押操作する上向きの押力に変換する変換装置と、前記報知灯の光を前方に配光する導光装置と、前記変換装置と前記導光装置とを収納及び保持するハウジングとを有することを特徴とする。
【００１３】
上記の表示灯において、前記変換装置は、前方からの押力を受けたときに前記ハウジングに対して回転して前記押釦スイッチを押操作するように前記ハウジングに対して軸支されていてもよい。
【００１４】
また、上記の表示灯において、前記ケースと前記ハウジングとには互いに嵌合する凹凸が設けられていてもよい。
【００１５】
さらに、上記の表示灯において、前記導光装置として透光性を有する材料からなるライトガイドを備えてもよい。
【００１６】
また、上記の表示灯において、前記メインブロックは、下方からの光信号を受信する受光素子を有し、前記ケースの下面には、前記受光素子を露出させる受光穴が設けられ、前記制御回路は、所定の光信号が前記受光素子に受信されたときにも前記状態検出動作を行うものであって、前記外付けブロックは、内面において前方からの光信号を反射して前記受光穴を通じて前記受光素子に入射させる導光室を有するしてもよい。
【発明の効果】
【００１７】
本発明によれば、外付けブロックが取り外されて天井面上や壁面上に直付け固定される表示灯と、外付けブロックが取り付けられて壁面に埋込固定される表示灯とで、メインブロックを共用とすることができるから、上記２種類の表示灯の全体としての製造コストを低減することができる。
【図面の簡単な説明】
【００１８】
【図１】本発明の実施形態を示す分解斜視図である。
【図２】同上の要部を示す断面図である。
【図３】同上のメインブロックを示すブロック図である。
【図４】同上のメインブロックが有するプリント配線板を示す斜視図である。
【図５】変換装置が押操作されていない状態での同上の外付けブロックを示す一部を破断した斜視図である。
【図６】変換装置が押操作された状態での同上の外付けブロックを示す一部を破断した斜視図である。
【図７】同上の外付けブロックの別の一部を破断した斜視図である。
【図８】同上の変換装置を示す斜視図である。
【図９】同上の導光装置を示す斜視図である。
【図１０】同上のメインブロックと外付けブロックとの要部を示す断面図である。
【図１１】同上の変更例における外付けブロックを示す断面図である。
【図１２】同上の別の変更例における変換装置を示す斜視図である。
【図１３】同上の変更例における外付けブロックを示す斜視図である。
【発明を実施するための形態】
【００１９】
以下、本発明を実施するための最良の形態について、図面を参照しながら説明する。
【００２０】
本実施形態は、図１に示すように、下面に押釦と報知灯とを有するメインブロック１と、メインブロック１の下側に結合する外付けブロック２と、メインブロック１と外付けブロック２とを互いに結合した状態に保持するホルダ３とを備える。メインブロック１とホルダ３とはそれぞれ全体として前後方向に扁平な直方体形状となっている。
【００２１】
ホルダ３は例えば金属からなり、ホルダ３の前面にはメインブロック１と外付けブロック２とがそれぞれ収納される収納凹部３０が開口している。また、ホルダ３の前側には、図２に示すように枠体５が取り付けられる。枠体５は例えば合成樹脂からなり、前方から見てホルダの収納凹部３０の内周面とメインブロック１との間の隙間を覆って見栄えを改善する。枠体５をホルダ３に結合させる手段としては例えばねじ止めや嵌合などの周知の手段を用いることができる。
【００２２】
外付けブロック２とホルダ３と枠体５とは、壁面（図示せず）に埋込固定される場合に用いられる。壁面に対するホルダ３の固定は例えばねじ止めによって達成される。
【００２３】
メインブロック１は、従来周知の表示灯であって天井面上や壁面上に露出した状態で固定（いわゆる直付け固定）して使用されるものと同様の構成を有する。つまり、本実施形態が天井面上や壁面上に直付け固定される場合、外付けブロック２とホルダ３と枠体５とはそれぞれ取り外される。メインブロック１の直付け固定は例えばねじ止めによって達成される。
【００２４】
メインブロック１は、図３に示すように、二次電池１１と、非停電状態で二次電池１１を充電する充電回路１２と、停電状態で二次電池１１を電源として主光源１０を点灯させる点灯回路１３とを備える。
【００２５】
上記の各部は、全体として扁平な直方体形状のケース１４に収納される。ケース１４は例えば合成樹脂からなる。ケース１４の前面（厚さ方向の一方側の面）は、主光源１０の光を拡散及び透過させるように透光性を有する材料で構成された表示部となっている。また、ケース１４の表示部（前面）には例えば避難経路の方向などの情報を示す表示が付されており、上記の表示が主光源１０によって照明される。上記の表示として、避難経路の方向を示す所定の図柄が付された場合、本実施形態の表示灯は誘導灯と呼ばれる。
【００２６】
二次電池１１としては例えば周知のニッケル水素電池を用いることができる。
【００２７】
充電回路１２は、外部電源（例えば交流電源）から入力された電力を変換して得られた直流電力により二次電池１１を充電する。このような充電回路１２は例えば周知のＡＣ−ＤＣコンバータを用いて実現可能である。
【００２８】
主光源１０としては例えば発光ダイオードのような周知の電気的な光源を用いることができる。
【００２９】
また、点灯回路１３は、主光源１０として発光ダイオードが用いられる場合には周知のＤＣ−ＤＣコンバータを用いて実現することができるといったように、周知技術で実現可能である。
【００３０】
さらに、メインブロック１は、入力装置１５と、報知装置１６と、入力装置１５への入力に応じて報知装置１６を制御する制御回路１７とを備える。入力装置１５と報知装置１６と制御回路１７とは、充電回路１２や点灯回路１３とともに、図４に示すようなプリント配線板１８に実装されてケース１４に収納されている。
【００３１】
入力装置１５は、それぞれ下方からの押力によって押操作される２個の押釦スイッチ１５１，１５２と、光信号を受信する受光素子１５３とを有する。光信号は例えば赤外線を媒体としたものであり、受光素子１５３としては例えばフォトダイオードを用いることができる。
【００３２】
報知装置１６は、それぞれ発光ダイオードからなる２個の報知灯１６１，１６２と、制御回路１７の制御に従って各報知灯１６１，１６２を駆動する駆動回路（図示せず）とを備える。
【００３３】
ケース１４の下面には、１個ずつの押釦スイッチ１５１，１５２を下方に露出させる２個の操作穴１４１と、１個ずつの報知灯１６１，１６２を下方に露出させる２個の報知穴１４２と、受光素子１５３を下方に露出させる受光穴１４３とが設けられている。
【００３４】
制御回路１７は、充電回路１２による二次電池１１の充電が行われている期間には、一方の報知灯（以下、「第１報知灯」と呼ぶ。）１６１を点灯させるように報知装置１６を制御する。
【００３５】
また、制御回路１７は、主光源１０の異常（例えば接続不良や寿命末期）の有無を判定するとともに、主光源１０に異常があると判定されれば他方の報知灯（以下、「第２報知灯」と呼ぶ。）１６２の点灯や点滅によって報知するように報知装置１６を制御する。
【００３６】
さらに、制御回路１７は、一方の押釦スイッチ（以下、「第１押釦スイッチ」と呼ぶ。）１５１が押操作されたときや、充電状態の確認を指示する所定の光信号が受光素子１５３に入力されたときには、二次電池１１の状態としての充電量を検出するとともに、報知灯１６１，１６２のうち検出された充電量に応じた一方を点滅させるように報知装置１６を制御するという第１の状態検出動作を行う。
【００３７】
また、制御回路１７は、他方の押釦スイッチ（以下、「第２押釦スイッチ」と呼ぶ。）１５２が押操作されたときや、二次電池１１の点検を指示する所定の光信号が受光素子１５３に入力されたときには、二次電池１１の状態としての劣化を検出するとともに検出結果に応じて報知装置１６を制御するという第２の状態検出動作を行う。具体的には、制御回路１７は、所定時間にわたり充電回路１２による充電を停止させて主光源１１を点灯させるように点灯回路１３を制御し、このときの二次電池１１の出力電圧の低下幅に基いて二次電池１１の劣化の有無を判定する。その後、制御回路１７は、第１報知灯１６１の点灯状態が上記判定の結果に応じた点灯状態（点灯または点滅）となるように報知装置１６を制御する。
【００３８】
以下、本実施形態の特徴である、外付けブロック２について説明する。
【００３９】
外付けブロック２は、図５〜図７に示すように、押釦スイッチ１５１，１５２に一対一に対応して２個設けられた変換装置２１と、報知灯１６１，１６２に一対一に対応して２個設けられた導光装置２２とを備える。各変換装置２１は、それぞれ、前方からの押力を、対応する押釦スイッチ１５１，１５２を押操作する上向きの押力に変換する。また、各導光装置２２は、それぞれ、対応する報知灯１６１，１６２の光を前方に配光する。各変換装置２１と各導光装置２２とは、それぞれ、ハウジング４に収納及び保持される。ハウジング４は例えば合成樹脂からなり、全体として上下に扁平な直方体形状とされている。
【００４０】
詳しく説明すると、各変換装置２１は、それぞれ、図８に示すように、厚さ方向を前後方向に向けた円板形状であって前方からの押力を受ける操作部２１１と、操作部２１１の後面から後方に延長された本体部２１２とを有する１個の部品からなる。本体部２１２の後端には、メインブロック１の操作穴１４１に挿入される作用部２１３が上方に突設されている。ハウジング４には、それぞれ前面に開口して１個ずつの変換装置２１の操作部２１１を露出させる２個の操作穴４１と、それぞれ上面に開口して１個ずつの変換装置２１の作用部２１３が挿通される２個の作用穴４２とが設けられている。また、本体部２１２の前端部の上側には、軸方向を左右方向に向けた円柱形状の軸部２１４の軸方向の中央部が連結されている。各変換装置２１は、それぞれ、軸部２１４の左右両端部をハウジング４に軸支されることで、軸部２１４の中心軸を回転軸としてハウジング４に対して回転可能となっている。また、軸部２１４の中心軸は、操作部２１１よりも上側に位置する。図８に矢印Ａ１で示すように操作部２１１が後向きの押力（前方からの押力）を受けると、変換装置２１はハウジング４に対して右方から見て反時計回りに回転する。この回転により、作用部２１３は矢印Ａ２で示すように上方に変位し、ケース１４の操作穴１４２内において押釦スイッチ１６１，１６２を押操作する。すなわち、後向きの押力（前方からの押力）が変換装置２１の回転により上向きの押力（下方からの押力）に変換され、押釦スイッチ１６１，１６２に作用する。また、図６のように押操作された状態から図５の状態への変換装置２１の復帰（つまり右方から見て時計回りの回転）は、例えば変換装置２１の自重によって達成される。変換装置２１の過剰な回転は、例えばハウジング４の内面が変換装置２１に当接することにより防止される。操作部２１１の上下方向の変位量をなるべく小さくするため、軸部２１４はなるべく操作部２１１の真上近くに配置されることが望ましい。また、作用部２１３の上下方向の変位量をなるべく大きくするため、作用部２１３はなるべく軸部２１４から後方に離して配置されることが望ましい。上記のような変換装置２１の材料としては例えば合成樹脂を用いることができる。
【００４１】
また、各導光装置２２は、それぞれ透光性を有する材料からなり、図９に示すような形状のいわゆるライトガイドである。ハウジング４には、それぞれ上面に開口して１個ずつの導光装置２２の後端部を上方に突出させる２個の光入力穴４３と、それぞれ前面に開口して１個ずつの導光装置２２の前端部を前方に露出させる２個の光出力穴４４とが設けられている。導光装置２２の材料としては例えばアクリル樹脂やポリカーボネート樹脂やガラスなどが考えられる。なお、導光装置２２としては、損失を抑えるように屈折率の分布を設計された光ファイバのようなものも考えられる。しかしながら、本実施形態においては、導光装置２２が構成すべき光路が比較的に短く損失が問題になりにくいので、導光装置２２としては単一の材料からなり均一な屈折率を有するものを用いて製造コストを抑えている。
【００４２】
さらに、ハウジング４の左端部には、他の部位と仕切られ内面において光信号を反射する導光室４５が設けられている。導光室４５の内面は、光信号を全反射する鏡面状であってもよいし、光信号を拡散反射する白色であってもよい。導光室４５は、ハウジング４の前面に開口し光信号が入射する入射穴４５１と、ハウジング４の上面に開口した出射穴４５２とを有する。出射穴４５２は、メインブロック１に結合した状態で受光穴１４３に重なる位置に設けられている。すなわち、前方から入射穴４５１から入射した光信号は、導光室４５内での反射を経て、出射穴４５２から上方に出射し、受光穴１４３を通じて受光素子１５３に入射する。図７に示すように、導光室４５内において出射穴４５２の下側には、後方に向かって上方に傾斜した傾斜面４５３が設けられており、前方から傾斜面４５３に入射した光は出射穴４５２へ反射される。ただし、上記のような傾斜面４５３を設けなくても、入射穴４５１から入射した光信号が導光室４５内での複数回の反射を経て十分な強度で出射穴４５２から出射することは考えられる。
【００４３】
また、ハウジング４の上面には、第１押釦スイッチ１５１に対応する一方の作用穴４２を囲む環形状の凸部４６が上方に突設されている。また、図１０に示すように、ケース１４において第１押釦スイッチ１５１に対応する操作穴１４１の開口の周囲には、上記の凸部４６が嵌合する凹部１４４が設けられている。すなわち、ハウジング４の凸部４６がケース１４の凹部１４４に嵌め込まれることや、各導光装置２２の後端部がそれぞれケース１４の報知穴１４２に挿入されることで、メインブロック１に対する外付けブロック２の位置決めが達成される。凸部４６の外周面と凹部１４４の外周面とはそれぞれ上下方向に直交する断面での直径が上方に向かって小さくなる円錐台形状とされている。また、ハウジング４の凸部４６の上端の外径Ｒ１はケース１４の操作穴１４１の内径（凹部１４４の上端の内径）Ｒ２よりも小さくされており、凸部４６の上端部は操作穴１４１に挿入される。なお、上記とは逆に、メインブロック１側に凸部を設けるとともに、この凸部が嵌合する凹部を外付けブロック２側に設けてもよい。また、上記のように互いに嵌合する凸部４６や凹部１４４を複数組設けてもよい。
【００４４】
上記構成によれば、直付け固定して使用する場合には、外付けブロック２やホルダ３を取り外してメインブロック１単体で使用することができる。また、メインブロック１に外付けブロック２やホルダ３を取り付ければ、壁面に埋込固定して使用することが可能となる。すなわち、直付け固定される表示灯と、壁面に埋込固定される表示灯とで、メインブロック１を共用とすることができるから、上記２種類の表示灯でプリント配線板１８等を別途に製造する場合に比べ、上記２種類の表示灯の全体としての製造コストを低減することができる。
【００４５】
なお、変換装置２１は、上記のように１個の部品で構成する代わりに、図１１に示すように、２個の部品２１５，２１６で構成してもよい。図１１の変換装置は、前方（図１１での左方）からの押力を受けてハウジング４に対し右方に変位する第１変位体２１５と、第１変位体２１５からの押力を受けてハウジング４に対し上方に変位し押釦スイッチ１５１，１５２を押操作する第２変位体２１６とを備える。第１変位体２１５と第２変位体２１６との互いに接触する面はそれぞれ後方に向かって下方へ傾斜した傾斜面となっている。第１変位体２１５と第２変位体２１６とが上記の傾斜面同士を互いに摺接させることで、矢印Ａ１で示すように第１変位体２１５に作用した後向きの力が矢印Ａ２で示すような上向きの力に変換されて第２変位体２１６に作用する。また、図１１の例において、第１変位体２１５の後端とハウジング４の内面との間には、圧縮コイルばねからなり第１変位体２１５に復帰力を付与する復帰ばね２１７が介装されている。第１変位体２１５の復帰は上記の復帰ばね２１７により達成され、第２変位体２１５の復帰は例えば自重による落下や押釦スイッチ１５１，１５２の復帰力により達成される。
【００４６】
また、変換装置２１は、図１２に示すような柔軟な線材で構成されていてもよい。この場合、変換装置２１の材料としては、例えばエラストマを用いることができる。また、この場合における変換装置２１は、ハウジング４の内面によってガイドされ、ハウジング４の前方に露出する一端部が後向きの押力を受けてハウジング４内へ押し込まれると、ハウジング４の上方に突出する他端部の突出寸法を大きくする。すなわち、上記の一端部が操作力を受ける操作部２１１であり、上記の他端部が押釦スイッチ１５１，１５２を押操作する作用部２１３である。押力を効率良く伝達するには、変換装置２１は、ハウジング４との間の摩擦が少なく、曲がりやすく、且つ圧縮されにくいことが望ましい。この場合における変換装置２１の復帰は、例えば押釦スイッチ１５１，１５２の復帰力により達成される。
【００４７】
また、各部の形状が適宜変更可能であることはいうまでもない。図１３に、一方の操作穴４１と各光出力穴４４と入射穴４５１との形状が変更されるとともに導光室４５内の傾斜面４５３が削除された例を示す。
【符号の説明】
【００４８】
１  メインブロック
２  外付けブロック
４  ハウジング
１０  主光源
１１  二次電池
１２  充電回路
１３  点灯回路
１４  ケース
１７  制御回路
２１  変換装置
２２  導光装置
４５  導光室
４６  凸部
１４１  操作穴
１４２  報知穴
１４３  受光穴
１４４  凹部
１５１，１５２  押釦スイッチ
１５３  受光素子
１６１，１６２  報知灯
【図１】
2014182959.tif 000003
【図２】
2014182959.tif 000004
【図３】
2014182959.tif 000005
【図４】
2014182959.tif 000006
【図５】
2014182959.tif 000007
【図６】
2014182959.tif 000008
【図７】
2014182959.tif 000009
【図８】
2014182959.tif 000010
【図９】
2014182959.tif 000011
【図１０】
2014182959.tif 000012
【図１１】
2014182959.tif 000013
【図１２】
2014182959.tif 000014
【図１３】
2014182959.tif 000015